【手続補正書】
【提出日】平成16年10月21日(2004.10.21)
【手続補正１】
【補正対象書類名】明細書
【補正対象項目名】全文
【補正方法】変更
【補正の内容】
【書類名】      明細書
【発明の名称】      塗布具における軸着構造
【特許請求の範囲】
【請求項１】  先端の開口部よりプリンターヘッドを突出して形成する塗布具本体内にあって、塗布具本体内の内壁面に一体に形成される供給リール軸又は巻き取りリール軸に対して、各々供給リール又は巻き取りリールを、同軸上に一体に回転することとなる供給リールギア又は巻き取りリールギアを回転自在に軸着する塗布具において、上記塗布具本体内の供給リール又は巻き取りリールと、同軸上に軸着されて一体に回転することとなる供給リールギア又は巻き取りリールギアとの間に、供給リールギア又は巻き取りリールギアの円筒部を取り巻くように環状リブを周設し、環状リブと円筒部外壁間に、供給リール又は巻き取りリールの内壁下端に構成する弾性縁片を嵌合してなる塗布具における軸着構造。
【発明の詳細な説明】
【０００１】
【発明が属する技術分野】
この発明は、転写テープ表面の糊料又は修正塗料等を転写することで塗布してなる塗布具における軸着構造に関する。
【０００２】
【従来の技術】
従来、転写テープ表面の糊料又は修正塗料等を転写することで塗布を行ってなる塗布具において、供給リール又は巻き取りリールは、各々供給リール軸と巻き取りリール軸に対して、互いに噛合することとなる供給リールギア又は巻き取りリールギアと共に同一軸上に一体に回転するように軸着されており、特に供給リールにおいては、未使用の転写テープが過剰な引張力により引き出された場合に供給リールのみが回転して、過剰な緊張が転写テープに加わることで発生する切断を防止するために、供給リールと供給リールギアとを、供給リールの係止孔内壁面に配設された弾性縁片による供給リールギアを挟持することにより一体化し、過剰の引張力に対しては供給リールが供給リールギアに対して空転するものが一般的である。
【０００３】
【発明が解決しようとする課題】
しかしながら、上記従来のもののように、転写テープの送出、巻き取りを行う供給リール又は巻き取りリールを、各々供給リール軸と巻き取りリール軸に対して、一体に回転するように軸着し、特に供給リールにおいては、未使用の転写テープが過剰な引張力により引き出された場合には供給リールのみが回転して、過剰な緊張が転写テープに加わることで発生する切断を防止するために、供給リールと供給リールギアとを、供給リールの係止孔内壁面に配設された弾性縁片による挟持をもって一体化し、過剰の引張力に対しては供給リールが供給リールギアに対しては、上記供給リールと供給リールギアとの挟持が解かれ空転することとなるものの場合には、確かに過剰な引張力を持って未使用の転写テープが引き出されると、供給リールと供給リールギアは一体に回転し始めると共に、ある一定以上の回転となると、供給リールと供給リールギアとの間に介在させる供給リールの係止孔の内壁面に配設された弾性縁片の挟持による摩擦以上となった時に供給リールのみが供給リールギアに対して空転することとなり、未使用の転写テープのみが引き出される一方で、供給リールギア自体は回転を中止し、またこの供給リールギアと噛合する巻き取りリールギア及び、この巻き取りリールギアと巻き取りリールギア軸に対して同軸上に軸着され、一体となる巻き取りリールも回転することがなくなるため、供給リールから送出された転写テープに対して過剰の緊張を与えることがなく、転写テープの切断等の不具合を防止することができるものとなるが、供給リールと供給リールギアとを一体に回転させることとなる供給リールの係止孔の内壁面に配設され、供給リールギアの円筒部を挟持することとなる弾性縁片は、それ自体に弾性を持たせるため薄肉化又は柔軟な材質により成形されているものであるので、高温な場所での保管、運搬あるいは長期の使用等を行うと、この供給リールの係止孔内壁面に配設された弾性縁片において、例えば外方に向けて拡開する等の変形が発生し、供給リールギアの円筒頂部を確実に挟持することができなくなって、供給リールの供給リールギアとの間での空転を生じ、一体に回転することができなくなることがある。
【０００４】
このことは、この供給リールギアと噛合する巻き取りリールギアに対して一体となり、供給リールからプリンターヘッドへ送出され、プリンターヘッドを経て使用済みとなった使用済みの転写テープを巻き取る巻き取りリールにおいては、供給リールから送出されることとなる未使用の転写テープに見合っただけの使用済みの転写テープの巻き取りを、上記供給リールと供給リールギアとの間で生じる空転により行うことができず、塗布具本体内外において転写テープ同士の絡まりや塗布具本体からの横溢等の不具合を招くものである。
【０００５】
そこで、この発明は上記従来のものの有する問題点を解決するものであり、簡単な構造により、塗布具本体内に内装され、一体に回転することとなるリールとギア、特に供給リールと供給リールギアとの間での部品の熱変形に伴う空転の発生を防止して、転写テープの送出、巻き取りを円滑に且つ確実に行えるようにするものである。
【０００６】
【課題を解決するための手段】
そのために、先端の開口部よりプリンターヘッドを突出して形成する塗布具本体内にあって、塗布具本体内の内壁面に一体に形成される供給リール軸又は巻き取りリール軸に対して、各々供給リール又は巻き取りリールを、同軸上に一体に回転することとなる供給リールギア又は巻き取りリールギアを回転自在に軸着する上記塗布具本体内において、供給リール又は巻き取りリールと、同軸上に軸着されて一体に回転することとなる供給リールギア又は巻き取りリールギアとの間のに、供給リールギア又は巻き取りリールギアの円筒部を取り巻くように環状リブを周設し、環状リブと円筒部外壁間に供給リール又は巻き取りリールの内壁下端に構成する弾性縁片を嵌合してなるものである。
【０００７】
【発明の実施の形態】
以上の構成を具えるので、例えば、供給リールギアと一体に連動するように、供給リールギアの円筒部を把持、係止することとなる供給リールの係止孔の内壁下端に周設された弾性縁片は、それ自体弾性を持たせるため薄肉化又は柔軟な材質により成形されているものであるので、例えば高温な場所での保管、運搬あるいは長期の使用等を行うことで、供給リールの係止孔内壁面に配設された弾性縁片において、外方に向けて拡開する等の変形が発生しようとしても、この供給リールの弾性縁片は、上記供給リール又は巻き取りリールの円筒部と、供給リールギア又は巻き取りリールギアの円筒部を取り巻くように周設される環状リブとの間に嵌合することで、供給リールの弾性縁片の熱による変形は阻止され、供給リールの弾性縁片による供給リールギアの円筒部の把持、係止は確保されることとなって供給リールの空転が防止されるものであるので、供給リールと供給リールギアとは一体に回転して、転写テープの送出、巻き取りを確実に行えるものである。
【０００８】
【実施例】
この発明を図に示す実施例により更に説明する。（１）はこの発明の実施例を具える塗布具であり、この塗布具（１）は、先端の開口部よりプリンターヘッド（２）を突出して形成する塗布具本体（３）内において、その内壁面（４）に一体に立設される供給リール軸（５）又は巻き取りリール軸（６）に対して、同軸上に各々軸着される供給リール（１０）と巻き取りリール（１１）から構成され、供給リール（１０）に巻回する転写テープ（９）を上記プリンターヘッド（２）に送出しつつ、プリンターヘッド（２）を経由した転写テープ（９）を巻き取りリール（１１）に巻き取ってなるものである。
【０００９】
そして、この発明の実施例を具える塗布具（１）を構成する塗布具本体（３）内に内装される転写テープ（９）の送出、巻き取りを行う供給リール（１０）又は巻き取りリール（１１）のうち、例えば、供給リール（１０）と、この供給リール（１０）と一体に回転するように供給リール軸（５）に対して同軸上に軸着されることとなる供給リールギア（７）との間において、供給リールギア（７）の円筒部（１２）に対して、供給リール（１０）の係止孔（１３）の内壁面（１４）下端に周設された弾性縁片（１５）により弾性を持って把持、係止させると共に、上記供給リール（１０）の係止孔（１３）の内壁面（１４）に配設された弾性縁片（１５）の後背に形成されることとなる円筒状の空隙（１６）に対して、供給リールギア（７）の円筒部（１２）を取り巻くように周設される環状リブ（１７）を挿嵌することで、供給リール（１０）の係止孔（１３）の内壁面（１４）に周設された弾性縁片（１５）を挟持してなるものである。
【００１０】
この発明の実施例を具える塗布具（１）が以上の構成を具えるので、通常の使用に際しては、使用者がこの塗布具（１）を持って一定方向にスライドさせることにより、供給リール（１０）からプリンターヘッド（２）に対して、表面に糊料や修正塗料を有する未使用の転写テープ（９’）が送出されると共に、このプリンターヘッド（２）を経由して使用済みとなった転写テープ（９”）は、上記供給リール（１０）と共に供給リール軸（５）に対して一体に回転するように同軸上に軸着された供給リールギア（７）と噛合する巻き取りリールギア（８）との噛合を介して一体に回転する。この巻き取りリールギア（８）と共に巻き取りリール軸（６）に対して同軸上に軸着される巻き取りリール（１１）に使用済みとなった転写テープ（９”）が巻き取られるものである。このことにより転写テープ（９）の送出、巻き取り動作を円滑に行うことができ、また、転写テープ（９）に対して過剰の引張力が加わって転写テープ（９）の引き出し速度が設定以上となってこの未使用の転写テープ（９’）を巻回する供給リール（１０）が過剰な回転を行うこととなっても、供給リール（１０）の係止孔（１３）の内壁面（１４）に周設される弾性縁片（１５）による供給リールギア（７）の円筒部（１２）の把持、係止が解かれる。供給リール（１０）は供給リール軸（５）と同軸上に軸着される供給リールギア（７）に対して空転するものとなる。そして、供給リール（１０）からの未使用の転写テープ（９’）のプリンターヘッド（２）への送出を行う一方で、供給リール（１０）と同一軸上に軸着される供給リールギア（７）と互いに噛合することとなる巻き取りリールギア（８）は、供給リールギア（７）に対する供給リール（１０）の空転によりその回転を中止するので、この巻き取りリールギア（８）と同軸上に軸着される巻き取りリール（１１）も回転を中止することとなる。この結果、転写テープ（９）に対して過度の緊張が発生することがなく転写テープ（９）の切断を防止することもできるものである。
【００１１】
更に、供給リールギア（７）と一体に連動するように、供給リールギア（７）の円筒部（１２）を把持することとなる供給リール（１０）の係止孔（１３）内壁面（１４）に周設された弾性縁片（１５）は、それ自体弾性を持たせるため薄肉化又は柔軟な材質により成形されているものであるので、例えば高温な場所での保管、運搬等を行うことで、この供給リール（１０）の係止孔（１３）の内壁面（１４）に周設された弾性縁片（１５）において、外方に向けて拡開する等の変形が発生しようとしても、この供給リール（１０）の弾性縁片（１５）は、上記供給リール（１０）の係止孔（１３）の内壁面（１４）に周設された弾性縁片（１５）の後背に形成されることとなる円筒状の空隙（１６）に対して、供給リールギア（７）の円筒部（１２）を取り巻くように周設される環状リブ（１７）との間に嵌合することで、供給リール（１０）の係止孔（１３）の内壁面（１４）に周設された弾性縁片（１５）を径方向から挟持するので、供給リール（１０）の弾性縁片（１５）の外方に向けて拡開する等の変形は阻止され、供給リール（１０）の弾性縁片（１５）による供給リールギア（７）の円筒部（１２）の把持は確保されることとなる。したがって、供給リール（１０）の変形に伴う空転が防止されて、供給リール（１０）と供給リールギア（７）とは一体に連動して、転写テープ（９）の送出、巻き取りを確実に行えるものである。
【００１２】
【発明の効果】
以上のとおりであるから、供給リールの弾性縁片を環状リブと円筒部外壁間に嵌合することで、供給リールと供給リールギアとが一体に連動するために行う把持、係止を担う供給リールの弾性縁片の変形を確実に阻止できるので、供給リール等の塗布具を構成する部品の耐久性を向上できる優れた効果を有するものである。
【図面の簡単な説明】
【図１】
この発明の実施例である塗布具の分解正面図である。
【図２】
この発明の実施例である塗布具における供給リールの横断面図である。
【符号の説明】
１  塗布具
２  プリンターヘッド
３  塗布具本体
４  内壁面
５  供給リール軸
６  巻き取りリール軸
７  供給リールギア
８  巻き取りリールギア
９  転写テープ
９’  未使用の転写テープ
９”  使用済みの転写テープ
１０  供給リール
１１  巻き取りリール
１２  円筒部
１３  係止孔
１４  内壁面
１５  弾性縁片
１６  空隙
１７  環状リブ
【手続補正２】
【補正対象書類名】図面
【補正対象項目名】図２
【補正方法】変更
【補正の内容】
【図２】
2000335194.tif 000001